(57)【要約】  本発明は、ドア若しくは窓のハンドル又はノブ９を固定するための、前記ハンドル又はノブ９の軸線に対し或る角度で配置されたロッキング要素１８を備える機構に関する。ロッキングばね要素１３が基部又はノブ・シールド１に配置される。前記ロッキングばね要素は、前記基部又はノブ・シールド１の半径方向開口２、６内に嵌入するロッキング突起８、７を担持する。前記ロッキング要素１８は、同ロッキング要素が前記ハンドル又はノブ９の軸線に対し或る角度で変位したときに前記ロッキングばね要素１３が変形し、且つ前記ロッキングばね要素１３の周辺に配置されたロッキング突起８、７が、前記ロッキングばね要素１３と前記基部又は前記ノブ・シールド１とを囲む前記ハンドル又はノブ９にある、若しくはその一部にある凹所１０に着脱するように、前記ロッキングばね要素１３と相互作用する。
2009527662.tif 000002
【特許請求の範囲】
【請求項１】
ドア若しくは窓のハンドル又はノブを固定するための、前記ハンドル又はノブ（９）の軸線に対し横方向に配置されたロッキング要素を備える固定装置において、
ロッキングばね要素（１３）が基部又はノブ・シールド（１）に配置され、
前記ロッキングばね要素は前記基部又はノブ・シールド（１）の半径方向開口（２、６）内に嵌入されるロッキング突起（８、７）を担持し、
前記ロッキング要素は、同ロッキング要素が前記ハンドル又はノブ（９）の軸線に対する横方向に変位させられた時、前記ロッキングばね要素（１３）が変形し、且つ前記ロッキングばね要素（１３）の周辺に配置されたロッキング突起（８）が、前記ロッキングばね要素（１３）と前記基部又は前記ノブ・シールド（１）とを囲む前記ハンドル又はノブ（９）にある、若しくはその一部にある凹所（１０）に着脱するように、前記ロッキングばね要素（１３）と相互作用することを特徴とする、固定装置。
【請求項２】
請求項１に記載の固定装置において、前記ロッキング要素は、ねじ（１８）、特にねじ付きピンとして形成されていることを特徴とする、固定装置。
【請求項３】
請求項１又は２に記載の固定装置において、前記ロッキングばね要素は半径方向に細い、ほぼ環状の板ばね（１３）として形成され、前記基部又は前記ノブ・シールド（１）の周辺の半径方向スリットの両側の開口（２）内に嵌入するロッキング突起（８）を担持し、前記ロッキング突起（８）は前記板ばねの半径方向圧縮の際に内向きに旋回することを特徴とする、固定装置。
【請求項４】
請求項１から３のいずれか一項に記載の固定装置において、前記周辺の、前記ロッキング要素の適用ポイント（１２）の両側に、前記ロッキングばね要素（１３）は突出するロッキング突起（７）を有し、
前記ロッキング突起（７）は、前記ロッキング要素（１８）を収容する基部ボディのスリット（６）内に嵌入され、前記ロッキング要素（１８）を動かすことによって、前記基部又は前記ノブ・シールド（１）に置かれた前記ハンドル又はノブ（９）の、前記ロッキング突起（７）に対応する凹所（６）との係合から離脱することを特徴とする、固定装置。
【請求項５】
請求項１から４のいずれか一項に記載の固定装置において、前記基部又は前記ノブ・シールド（１）の前記開口（２）内に嵌入する前記ロッキング突起（８）に従って動く、前記半径方向スリットに隣接する前記ロッキングばね要素（１３）の自由端は、内向きに丸みを付けられるか、若しくは、前記ロッキングばね要素（１３）に対し接線と鋭角を為すように内向きに形成されるか、若しくは、前記ロッキングばね要素（１３）の半径に比してより小さい半径を有するように形成されていることを特徴とする、固定装置。
【請求項６】
請求項１から５のいずれか一項に記載の固定装置において、前記ロッキング要素（１８）はその半径方向外側端が、ねじ回し工具挿入のための前記ノブ（９）の前記半径方向開口（１１）の内側幅を超える直径を有することを特徴とする、固定装置。
【発明の詳細な説明】
【技術分野】
【０００１】
本発明は、ドア若しくは窓のハンドル又はノブを固定する装置であって、ハンドル又はノブの軸線に対して横方向に配置されたロッキング要素を有する装置に関する。
【背景技術】
【０００２】
ドア若しくは窓のハンドル又はノブは、様々な形式が知られている。ノブとしての構成では、大部分が回転可能な対称式構成要素を一般的に使用し、回転軸線に対称なマッシュルーム頭部若しくは壺形状構造の形で構成されている。しかし、ドア・ノブはまた、ドアに堅固に結合され、且つ原則として、捻りに対して安全にされている。他の場合には、ロック若しくはラッチがノブを捻るか又はハンドルを旋回させることによって作動され、ロック又はラッチの作動部への、対応する回転可能な固定接続が保証されなければならない。そのような接続の構成として、最も多く且つ一般的に使用される構成は、ロックに接続された中央部分若しくはドア又は窓に接続された剛性部分にアレン・キー（Ａｌｌｅｎ  ｋｅｙ）によって固定されるねじ付きピンを使用する構成である。その目的のため、ねじ付きピンがねじ込まれ且つ押し付けられている。通常は、ここにおける不確かな接続は、ほとんどの場合、適切な力を加えるために先端に至るように構成されているねじ付きピンの端部区域に制限されている。しかし、振動が激しく且つ作動が頻繁な場合には、そのような固定ねじは緩くなり、そのためノブ又はハンドルは脱落若しくは外れる前に当初から軸線方向に変位可能である。そのような固定ねじは、一定の安全策を達成するために複数のそのようなねじが周囲に配列される時、大径の接続面を有するノブの接続に限り適切である。しかし、そのようにねじを複数とすることによって組立時の労力が相当に増大する。
【発明の開示】
【発明が解決しようとする課題】
【０００３】
本発明の目的は、比較的大径の部品に対し固定を行う場合であって、例えば、本件のように、ノブ・シールドを使用し、その上に置くノブが閉じる空隙に所望の場合には更に構成要素の収容が可能とされる場合であっても、ドア・ハンドル又はノブの、軸線方向変位対策が講じられた、回転可能な安全な固定の達成が信頼性良好に可能である、当初に規定したタイプの装置を提供することにある。
【課題を解決するための手段】
【０００４】
この目的を達成するため、本発明による装置は、ロッキングばね要素が基部又はノブ・シールドに配置され、前記ロッキングばね要素は前記基部又はノブ・シールドの半径方向開口内に嵌入するロッキング突起を担持し、前記ロッキング要素は、同ロッキング要素が前記ハンドル又はノブの軸線に対し横方向に変位したときに前記ロッキングばね要素が変形し、且つ前記ロッキングばね要素の周辺に配置されたロッキング突起が、前記ロッキングばね要素と前記基部又は前記ノブ・シールドとを囲む前記ハンドル又はノブにある、若しくはその一部にある凹所に着脱するように、前記ロッキングばね要素と相互作用することとにより実質的に構成される。
【０００５】
ロッキングばね要素は、基部又はノブ・シールド内に配置され、同要素自体はロッキング要素と協働するので、そのようなロッキングばねを変形させることにより、そのようなロッキングばねに配置されたロッキング突起を、本装置に結合されるハンドル又はノブの内周の、対応するロッキング凹所に着脱させることが可能である。ロッキングばね要素を適切に構成することにより、同時に複数のロッキング突起の着脱を可能とするのに１つのロッキング要素で充分である。このようにして、周縁に配分されたこの複数のロッキング突起は、これに置かれた大径のノブ又はハンドルをもロッキング可能とすることを保証できるため、ノブ又はハンドルは回転可能に固定され且つ軸線方向引抜きが抑止され、周縁に配分された複数のロッキング突起は同時に引抜き防止にも有効である。ロッキングは、ねじを緩め、ロッキング状態で弾撥力のみで軸線方向変位若しくは旋回を防止することによって、簡単に達成することが可能である。同時に、これによって、ロッキング要素の弛緩を生起しかねない振動があった場合でも、結合力は何ら損なわれないことが保証される。
【０００６】
この場合の特段に有利な実施例においては、ロッキング要素はねじ、特にねじ付きピンとして形成される。そのようなねじをねじ込むことにより、本発明によるロッキングばね要素を適切に変形させ、ロッキング突起を係合から離脱させることが可能である。この場合、有利な実施例においては、ロッキングばね要素は、半径方向に細い、ほぼ環状の板ばねとして形成され、基部又はノブ・シールドの周辺の半径方向スリットの両側の開口内に嵌入するロッキング突起又は突起を担持し、同突起は板ばねの半径方向圧縮中に内向き旋回し、これにおいては、前記周辺の、ロッキング要素の適用先端の両側に、ロッキングばね要素は突出するロッキング突起を有し、同ロッキング突起は、前記ロッキング要素を収容する基部ボディのスリット内に嵌入し、同ロッキング要素を動かすことによって、基部又はノブ・シールドに置かれたハンドル又はノブの、ロッキング突起に対応する凹所との係合から離脱することが可能にされるのが好ましい。ロッキングばね要素は、したがって、ロッキング要素の適用部位近辺はもとより自由端近傍の周囲に且つしたがって周辺方向に後続するスリット至近に対応するロッキング突起を有し、それによって、基部又はノブ・シールドとハンドル又はノブとの間の確実なロッキングが周囲の幾つかのポイントで同時に達成される。
【０００７】
既に述べたように、ノブ自体はここでは、例えば、壺形状に形成可能であるため、例えば、電子キー識別ロジックの部分等を保護された状態でそのようなノブ内部のノブ・シールドとノブの間の空隙に収容され得る。
【０００８】
とりわけ有利な態様において、本装置は、基部又はノブ・シールドの開口内に嵌入するロッキング突起に従って動く、半径方向スリットに隣接するロッキングばね要素の自由端は、内向きに丸みを付けられるか、若しくは板ばねに対し接線と鋭角を為すように内向きに形成されるか、若しくはロッキングばね要素の半径に比してより小さい半径を有するように形成されるように構成される。そのような構成によって、ロッキング要素のねじ込み中に、ロッキング要素に隣接するロッキング突起が係合から押圧離脱されるのみならず、半径方向スリットに隣接するロッキングばね要素の自由端もまた、該端に配置されたロッキング突起が内向き旋回して係合から離脱されるように内向き撓曲される。ロッキングばね要素の半径に比して小さい半径を有するように或いは接線方向に鋭角となるように形成される板ばねのこれらの末端区域は、基部又はノブ・シールドの開口の端縁に接し、このようにして、ばねの変形中にこれに対応する旋回を生起させる。
【０００９】
ロッキング部材の遺失に対する安全策を設け且つ同時に潜在的に残る半径方向の遊びに対する補強を確実とするため、本装置は、ロッキング要素の半径方向外側端が、ねじ回し工具挿入のためのノブの半径方向開口の内側幅を超える直径を有するように構成されることを長所とする。ロッキング要素を緩める最中に、ばね要素は当初は弛緩し、それによってロッキング突起が基部又はノブ・シールドの対応する開口に貫入して同開口へのロックを生起させ、ロッキング要素が更に緩められると、ロッキング要素の頭部はその寸法故に対応する開口を通過不能とされるため、ノブ又はハンドルの内部輪郭に衝突する。ねじを適切に回すことにより、この衝突の結果、僅かな半径方向変位が依然可能な場合にはその変位を抑えてロックする。
【００１０】
本発明を、図面に模式的に示す実施例に関して、以下に詳細に説明する。
【実施例】
【００１１】
図１は、周縁に設けられた開口２を有するノブ・シールド１を示す。ノブ・シールド１は、孔３に挿通するねじ（図示せず）によって不動に固定されるか、或いは別の構成要素に結合される。ラッチ若しくはロックを始動させる、対応するアクチュエータが多角形の受け開口４に挿通可能である。しかし、対応する軸がこの開口に通されることも可能である。
【００１２】
複数の開口２が図２の模式図で見られる。固定ねじ１８がねじ付きの構成要素５内に挿入可能である。図４に拡大図を示すロッキングばね要素１３は、図２には示していない。しかし、開口２に加えて、符号６は構成要素５に隣接してロッキング要素１８を受けるスリットを指し、これに図４の７及び８により示すロッキング突起を開口２に挿通するのと同様に挿通させることが可能である。
【００１３】
図３は、ノブ９を示し、その内周縁にも開口近辺に凹所１０があって、同凹所はノブ・シールド１の開口２或いはスリット６に対応して整合された位置に揃えられなければならない。そのため、開口１１はロッキング要素１８と整合された位置に揃えられなければならず、それによって、ロッキング要素としてのねじ若しくはねじ付きピンが、ねじ回し若しくはアレン・キーを挿入することによって適切に着脱可能である。
【００１４】
既に述べた通り、図４に拡大図を示すロッキングばね要素１３は、ロッキング突起７及び８を担持する。この場合は、ロッキング突起７はロッキング要素１８に対する適用ポイント１２に隣接して配置される。ロッキングばね要素即ち板ばね１３の応力弛緩状態では、ロッキング突起８は開口２を外向きに通り、それによってロッキングばね要素即ち板ばね１３は、傾斜面１４を介してこれらの開口２の端縁に当接する。ロッキング要素即ちねじ付きピン１８を矢印１５の方向に回すとき、明らかに２つのロッキング突起７も矢印１５の方向に移動し、したがってノブ・シールド１のスリット６内で後退される。同時に、傾斜面１４が開口２の端縁に当たり、それによって、ロッキング突起８が矢印１６の方向に内向き旋回され、且つ同時に、開口２内で後退され、ノブ・シールド１の外周から突出しなくなる。同時に、これらのロッキング突起はこのように図３に示すノブ９の内周の凹所１０との係合から離脱し、それによってノブは脱離可能となる。
【００１５】
作動態様は、図５において特に明解に模式的に確認することが可能である。図５においては、図１乃至図４から選択された参照符号が踏襲され、応力弛緩状態の、細長のロッキングばね要素１３の自由端の傾斜面１４と協働する開口２の端を符号１７により示す。図５において、ねじ付きピンとして形成されたロッキング要素は、符号１８によって示され、その前面１９は始動用具のための開口１１の内径より大きく、そのため、ねじを緩める際に、ねじ付きピン１８はノブ９の内周に当たり、その半径方向の運動が抑止される。同時に、板ばね１３は矢印１５の両側方向に応力弛緩し、それによってロッキング突起８又は７もノブ・シールド１の壁を通り抜け、ノブ９の内周の凹所と対応するロッキング位置に揃えられる。
【図面の簡単な説明】
【００１６】
【図１】ノブ・シールドの斜視図である。
【図２】図１のノブ・シールドを内部から見た斜視図である。
【図３】図１若しくは図２によるノブ・シールドに回転可能に固定的に結合され、且つノブ・シールドに対し軸線方向変位を抑止されるノブを示す図である。
【図４】その目的のために使用されるロッキングばね要素の拡大図である。
【図５】一部断面を示すノブ・シールド内に挿入状態の図４によるロッキングばね要素を示す図である。
【図１】
2009527662.tif 000003
【図２】
2009527662.tif 000004
【図３】
2009527662.tif 000005
【図４】
2009527662.tif 000006
【図５】
2009527662.tif 000007
【国際調査報告】
2009527662.tif 000008
2009527662.tif 000009
2009527662.tif 000010
2009527662.tif 000011